(57)【要約】      （修正有）【課題】小銭が取り出しやすく、携帯しやすい小銭入れケース部分と、小銭入れケース部分が接合した財布又は定期券入れケースを提供する。【解決手段】小銭入れケース部分には、硬貨落下防止縁を設け、上下に開閉する蓋２を設ける。財布又は定期券入れケースの本体に、小銭入れケース部分を接合する。【選択図】図２
0003151970.tif 000002
【実用新案登録請求の範囲】
【請求項１】
（イ）硬貨の収納を目的として、硬貨落下防止縁を設け、上下に開閉する蓋を付けた［図１］の小銭入れケース。
（ロ）硬貨の収納を目的として、硬貨落下防止縁を設け、滑らせて開閉する蓋を付けた［図２］の小銭入れケース。
（ハ）硬貨の収納を目的として、抽斗内箱に硬貨落下防止縁を設けた［図３］の小銭入れケース。
【請求項２】
（イ）［請求項１］の（イ）の小銭入れケースを取り付けた財布、又は定期券入れケースなど、携帯用小物入れ。
（ロ）［請求項１］の（ロ）の小銭入れケースを取り付けた財布、又は定期券入れケースなど、携帯用小物入れ。
（ハ）［請求項１］の（ハ）の小銭入れケースを取り付けた財布、又は定期券入れケースなど、携帯用小物入れ。
【考案の詳細な説明】
【考案の詳細な説明】
【背景技術】従来より小銭（硬貨）を携帯する方法としての小銭の収納部分は、（Ａ）財布などに設けられた小銭入れ用の開口部分や、（Ｂ）財布などの内側で大きく開口する小銭入れ部分、又は（Ｃ）小銭専用の袋状の小銭入れなどがある。
【考案が解決しようとする課題点】
店などで購入代金を支払う際、［従来の技術］の（Ａ）や（Ｃ）では、小銭を手に取り出さなければ小銭の種類や個数がわかりにくく、必要な金額を取り出すのに手間取る。又、［従来の技術］の（Ｂ）は、多く入れると硬貨が片寄り、団子状態となり携帯しにくいものになる。本考案はこれらの欠点を解消するため、小銭の携帯のあり方とその構造を考えたものである。
【課題を解決するための手段】
本考案は、財布、又は定期券入れケースなど、携帯用小物入れに取り付けた小銭入れケース内部の硬貨の種類や、大まかな個数が一見して見分けられ、必要な金額を簡単に速やかに取り出せるように考えたものである。
その手段は、
▲１▼硬貨の収納を目的とした小銭入れケースの形状は、硬貨数枚が重ねて入る厚さとし、硬貨９枚又は６枚が並列する面積として、［請求項１］の（イ）、及び［請求項１］の（ロ）の蓋を付けたものとする。又［請求項１］の（ハ）の小銭入れケースも同等の大きさのものとする。
▲２▼小銭入れケースの材質は、プラスチックなど硬いものを使用して、ケース内外からの圧迫による変形を避け、硬貨の片寄りを防ぎ、常に硬貨を平面上から見えるものとする。
▲３▼小銭入れケースの底面と、財布又は定期券入れケースなど携帯用小物入れとを、接着剤又は両面テープ等で接着貼り合わせて取り付ける。
尚、小銭入れケースの蓋、及び小銭入れケースの抽斗の外箱の上部に、透明の材質のものを使用してもよく、より一層の効果を得ることができる。
【実施例】財布を例にあげれば、［図５］のように財布を広げて小銭入れケースを開ければ、全ての硬貨が平面上から見え、取り出すまでに硬貨の種類と大まかな個数が一見して見えるので、必要な金額を速やかに取り出すことができる。
【図面の簡単な説明】
【図１】［請求項１］の（イ）の小銭入れケース
【図２】［請求項１］の（ロ）の小銭入れケース
【図３】［請求項１］の（ハ）の小銭入れケース
【図４】小銭入れケースの蓋を閉じた［請求項２］の（イ）の財布。
【図５】小銭入れケースの蓋を開けた［請求項２］の（イ）の財布。
【図６】小銭入れケースの蓋を閉じた［請求項２］の（ロ）の財布。
【図７】小銭入れケースの蓋を開けた［請求項２］の（ロ）の財布。
【図８】小銭入れケースの抽斗を閉じた［請求項２］の（ハ）の財布。
【図９】小銭入れケースの抽斗を引き出した［請求項２］の（ハ）の財布。
【図１０】小銭入れケースの蓋を閉じた［請求項２］の（イ）の定期券入れなど携帯用小物入れ。
【図１１】小物入れケースの蓋を開けた［請求項２］の（イ）の定期券入れなど携帯用小物入れ。
【図１２】小物入れケースの蓋を閉じた［請求項２］の（ロ）の定期券入れなど携帯用小物入れ。
【図１３】小銭入れケースの蓋を開けた［請求項２］の（ロ）の定期券入れなど携帯用小物入れ。
【図１４】小銭入れケースの抽斗を閉じた［請求項２］の（ハ）の定期券入れケースなど携帯用小物入れ。
【図１５】小銭入れケースの抽斗を引き出した［請求項２］の（ハ）の定期券入れケースなど携帯用小物入れ。
【符号の説明】
１  小銭入れケース本体
２  小銭入れケース蓋
３  開閉軸
４  溝
５  抽斗内箱
６  下敷き
７  硬貨
８  財布本体
９  定期券入れなど携帯用小物入れ本体
１０  硬貨落下防止縁
【図１】
0003151970.tif 000003
【図２】
0003151970.tif 000004
【図３】
0003151970.tif 000005
【図４】
0003151970.tif 000006
【図５】
0003151970.tif 000007
【図６】
0003151970.tif 000008
【図７】
0003151970.tif 000009
【図８】
0003151970.tif 000010
【図９】
0003151970.tif 000011
【図１０】
0003151970.tif 000012
【図１１】
0003151970.tif 000013
【図１２】
0003151970.tif 000014
【図１３】
0003151970.tif 000015
【図１４】
0003151970.tif 000016
【図１５】
0003151970.tif 000017
【手続補正書】
【提出日】平成21年2月16日(2009.2.16)
【手続補正１】
【補正対象書類名】実用新案登録請求の範囲
【補正対象項目名】全文
【補正方法】変更
【補正の内容】
【実用新案登録請求の範囲】
【請求項１】
（イ）硬貨落下防止縁１を設け、上下に開閉する蓋２を設けた本考案の小銭入れケース部分。
（ロ）［請求項１］の（イ）の小銭入れケース部分を本体６に接合する。
以上のように構成された財布や定期券入れケース。
【手続補正２】
【補正対象書類名】明細書
【補正対象項目名】全文
【補正方法】変更
【補正の内容】
【考案の詳細な説明】
【考案の詳細な説明】
【背景技術】従来より小銭（硬貨）を携帯する方法としての小銭の収納部分は、（ａ）財布などに設けられた小銭入れ用の開口部分や、（ｂ）財布などの内側で大きく開口する小銭入れ部分、又は（ｃ）小銭専用の袋状の小銭入れなどがある。
【考案が解決しようとする課題点】
店などで購入代金を支払う際、［従来の技術］の（ａ）や（ｃ）では、小銭を手に取り出さなければ小銭の種類や個数がわかりにくく、必要な金額を取り出すのに手間取る。又、［従来の技術］の（ｂ）は、多く入れると硬貨が片寄り、団子状態となり携帯しにくいものになる。本考案はこれらの欠点を解消するため、小銭の携帯のあり方とその構造を考えたものである。
【課題を解決するための手段】
本考案は、財布、又は定期券入れケースなどに取り付けた小銭入れケース部分の内部の硬貨の種類や、大まかな個数が一見して見分けられ、必要な金額を簡単に速やかに取り出せるように考えたものである。
その手段は、
▲１▼小銭入れケース部分の形状は、硬貨数枚が重ねて入る厚さとし、硬貨９枚又は６枚が並列する面積とする。
▲２▼小銭入れケース部分の材質は硬いものを使用して、ケース内外からの圧迫による変形を避け、硬貨の片寄りを防ぎ、常に硬貨を平面上から見えるものとする。
▲３▼小銭入れケース部分の底面と本体とを、接着剤又は両面テープ或いは縫合により接合する。
尚、小銭入れケース部分の蓋に、透明の材質のものを使用してもよく、より一層の効果を得ることができる。
【実施例】財布を例にあげれば、［図２］のように財布を広げて小銭入れケースを開ければ、全ての硬貨が平面上から見え、取り出すまでに硬貨の種類と大まかな個数が一見して見えるので、必要な金額を速やかに取り出すことができる。
【図面の簡単な説明】
【図１】  本考案の小銭入れケース部分の斜視図
【図２】  本考案の完成斜視図
【符号の説明】１  硬貨落下防止縁
２  蓋
３  開閉軸
４  硬貨
５  本体
【手続補正３】
【補正対象書類名】図面
【補正対象項目名】全図
【補正方法】変更
【補正の内容】
【図１】
0003151970.tif 000018
【図２】
0003151970.tif 000019
【手続補正書】
【提出日】平成21年4月13日(2009.4.13)
【手続補正１】
【補正対象書類名】実用新案登録請求の範囲
【補正対象項目名】全文
【補正方法】変更
【補正の内容】
【実用新案登録請求の範囲】
【請求項１】
硬貨落下防止縁１を設け、上下に開閉する蓋２を設けた小銭入れケース部分。
【請求項２】
請求項１記載の小銭入れケース部分を本体５に接合するように構成された財布又は定期券入れケース。
【手続補正２】
【補正対象書類名】図面
【補正対象項目名】全図
【補正方法】変更
【補正の内容】
【図１】
0003151970.tif 000020
【図２】
0003151970.tif 000021